(57)【要約】【課題】燃料電池又はガスエンジンの排熱を利用したコージェネレーションシステムにおいて、風呂の水張りや湯張り等に給湯器からの給湯を利用出来る排熱利用のコージェネレーションシステムの提供。【解決手段】燃料電池（１）の熱交換器（２）で加熱された湯のライン（Ｌ８）が風呂（１１）の往きライン（Ｌ１０）に接続（Ｇ１）され、風呂（１１）の戻りライン（Ｌ１１）には分岐（Ｂ１）したライン（Ｌ２０）が接続され、この分岐したライン（Ｌ２０）にはラジエータ（２１）を介して前記熱交換器（２）に接続され、そして前記戻りライン（Ｌ１１）は給湯器（３０）内に設けた熱交換器（３０ｂ）に接続され、その熱交換器（３０ｂ）は前記往きライン（Ｌ１０）に接続されている。【選択図】図１
2008101906.tif 000002
【特許請求の範囲】
【請求項１】
燃料電池又はガスエンジンの排熱を利用したコージェネレーションシステムにおいて、燃料電池の熱交換器で加熱された湯のラインが風呂の往きラインに接続され、風呂の戻りラインには分岐したラインが接続され、この分岐したラインにはラジエータを介して前記熱交換器に接続され、そして前記戻りラインは給湯器内に設けた熱交換器に接続され、その熱交換器は前記往きラインに接続されていることを特徴とするコージェネレーションシステム。
【請求項２】
燃料電池又はガスエンジンの排熱を利用したコージェネレーションシステムにおいて、燃料電池の熱交換器は風呂の往きラインに接続され風呂からの戻りラインは給湯器の熱交換器に接続され、その熱交換器からのラインはラジエータを介して燃料電池の熱交換器に接続され、前記燃料電池をバイパスするバイパスラインを設け、該バイパスラインには開閉弁を介装していることを特徴とするコージェネレーションシステム。
【請求項３】
燃料電池又はガスエンジンの排熱を利用したコージェネレーションシステムにおいて、燃料電池の熱交換器はラジエータを介して風呂の戻りラインに接続され、風呂の往きラインは給湯器の熱交換器に接続され、該熱交換器からのラインは一方向弁を介して燃料電池の熱交換器に接続され、その一方向弁は燃料電池から給湯器への流れを許容するものであり、前記燃料電池をバイパスするバイパスラインを設け、該バイパスラインには開閉弁を介装していることを特徴とするコージェネレーションシステム。
【発明の詳細な説明】
【技術分野】
【０００１】
本発明は、燃料電池又はガスエンジン等の内燃機関の排熱を利用したコージェネレーションシステムに関する。
【背景技術】
【０００２】
燃料電池の排熱を利用して給湯設備や風呂の水を加熱するようにしたコージェネレーションシステムは知られている。
【０００３】
コージェネレーションシステムの１例として、本出願人は特許文献１を提案しており、該提案によれば家庭用の風呂に好適な給湯作業を行うことが可能な燃料電池の排熱回収機構が開示されている。
【０００４】
しかしながら、この技術では燃料電池の戻り温度が高くなった場合に、燃料電池の運転の継続ができない。
【特許文献１】特開２００２−３７２３０３号公報
【発明の開示】
【発明が解決しようとする課題】
【０００５】
従って、本発明の目的は、燃料電池の戻り温度が高くなっても、燃料電池の運転が継続できる排熱利用のコージェネレーションシステムを提供することにある。
【課題を解決するための手段】
【０００６】
本発明によれば、燃料電池又はガスエンジンの排熱を利用したコージェネレーションシステムにおいて、燃料電池１の熱交換器２で加熱された湯のラインＬ８が風呂１１の往きラインＬ１０に接続Ｇ１され、風呂１１の戻りラインＬ１１には分岐Ｂ１したラインＬ２０が接続され、この分岐したラインＬ２０にはラジエータ２１を介して前記熱交換器２に接続され、そして前記戻りラインＬ１１は給湯器３０内に設けた熱交換器３０ｂに接続され、その熱交換器３０ｂは前記往きラインＬ１０に接続されている（図１、請求項１）。
【０００７】
給水源５からのラインＬ２１が給湯器３０に接続され、そして給湯器３０からの別途ラインＬ２２が給湯部８に接続されているのが好ましい。
【０００８】
ここで、燃料電池１の前記熱交換器２に接続されている分岐ラインＬ２０が風呂１１の戻りラインＬ１１から分岐した箇所Ｂ１とラジエータ２１との間には開閉弁Ｖ０３が介装され、前記熱交換器２から風呂１１の風呂往きラインＬ１０と合流するラインＬ８には開閉弁Ｖ０４が介装され、風呂１１の戻りラインＬ１１における分岐ラインＬ２０が分岐した箇所Ｂ１と給湯器３０内に設けた熱交換器３０ｂとの間の領域には開閉弁Ｖ０１が介装され、前記風呂往きラインＬ１０における前記熱交換器２からのラインＬ８と合流する箇所Ｇ１と給湯器３０内に設けた熱交換器３０ｂとの間の領域には開閉弁Ｖ０２が介装され、前記戻りラインＬ１１における前記分岐箇所Ｂ１と風呂１１との間の領域には開閉弁Ｖ０５が介装され、前記風呂往きラインＬ１０における前記合流箇所Ｇ１と風呂１１との間の領域には開閉弁Ｖ０６が介装されており、前記開閉弁Ｖ０１〜Ｖ０６は制御手段（図示せず）により開閉制御されるのが好ましい。
【０００９】
本発明によれば、燃料電池又はガスエンジンの排熱を利用したコージェネレーションシステムにおいて、燃料電池１の熱交換器２は風呂１１の風呂往きラインＬ１０に接続され風呂１１からの戻りラインＬ１１は給湯器３０の熱交換器３０ｂに接続され、その熱交換器３０ｂからのラインＬ２６はラジエータ２１を介して燃料電池１の熱交換器２に接続され、前記燃料電池１をバイパスするバイパスラインＬ２７を設け、該バイパスラインＬ２７には開閉弁２２を介装している（図２、請求項２）。
【００１０】
給水源（５）からのラインＬ２１が給湯器３０に接続され、給湯器３０からの別途ラインＬ２２が給湯部８に接続されているのが好ましい。
【００１１】
ここで、給湯器３０の熱交換器３０ｂと燃料電池１の熱交換器２を接続するラインＬ２６のバイパスラインＬ２７が合流する箇所と給湯器３０の熱交換器３０ｂの間の領域には第１の開閉弁Ｖ０１が介装されており、風呂の往きラインＬ１０におけるバイパスラインＬ２７が分岐している箇所と風呂１１との間の領域には第２の開閉弁Ｖ０２が介装されており、第１及び第２の開閉弁Ｖ０１、Ｖ０２は制御手段（図示せず）により開閉制御されることが好ましい。
【００１２】
さらに本発明によれば、燃料電池又はガスエンジンの排熱を利用したコージェネレーションシステムにおいて、燃料電池１の熱交換器２はラジエータ２１を介して風呂１１の戻りラインＬ１０に接続され、風呂１１の往きラインＬ１１は給湯器３０の熱交換器３０ｂに接続され、該熱交換器３０ｂからのラインＬ２６は一方向弁２３を介して燃料電池１の熱交換器２に接続され、その一方向弁（逆止弁２３）は燃料電池１から給湯器３０への流れを許容するものであり、前記燃料電池１をバイパスするバイパスラインＬ２７を設け、該バイパスラインＬ２７には開閉弁（２２）を介装している（図３、請求項３）。
【００１３】
給水源５からのラインＬ２１は給湯器３０に接続され、給湯器３０からの別途ラインＬ２２は給湯部８に接続されているのが好ましい。
【００１４】
ここで、給湯器３０の熱交換器３０ｂと燃料電池１の熱交換器２を接続するラインＬ２６の給湯器３０の熱交換器３０ｂとバイパスラインＬ２７が合流する箇所の間の領域には第１の開閉弁Ｖ０１が介装されており、風呂の往きラインＬ１０におけるバイパスラインＬ２７が分岐している箇所と風呂１１との間の領域には第２の開閉弁Ｖ０２が介装されており、第１及び第２の開閉弁Ｖ０１、Ｖ０２は制御手段（図示せず）により開閉制御されることが好ましい。
【００１５】
そして本発明の実施に際して、リモコン指示および燃料電池内部制御指令の後、燃料電池の出力を制御することができる。すなわち浴槽貯湯が可能でない場合は、燃料電池は単独運転のモードとなり、可能であれば浴槽に水張りし、そして、燃料電池を起動させて所定温度まで加熱し、所定温度となれば燃料電池は単独運転する様に構成することが出来る（図４）。
【００１６】
さらに本発明の実施に際し、リモコンにより湯張りと追い焚きを指示することもできる。そして、燃料電池運転中に浴槽貯湯を行う場合は、燃料電池による風呂加熱に加えて風呂給湯器による追い焚きを行い、所定温度になると追い焚きを終了し、燃料電池の単独運転を継続する様に構成することが出来る。
【００１７】
また、燃料電池の単独運転中の場合は給湯器で湯張りをし、風呂の水位が所定の水位となったときに、所定温度になるまで給湯器による追い焚きを行う。そして、燃料電池はその後、単独運転を行う様に構成することが出来る。
燃料電池が運転していないときは給湯器による湯張りを行い、所定水位になってから追い焚きし、所定温度になれば、追い焚きを終了する（図５）。
【００１８】
また本発明の実施に際して、リモコン指示により風呂の追い焚きを行うことができる。その際、燃料電池が運転していなければ給湯器で追い焚きを行い、燃料電池が運転中であれば、燃料電池の貯湯槽および給湯器で追い焚きを行う様に構成することが出来る。いずれの場合も、給湯器と浴槽又は貯湯槽およびそれに並列な給湯器と浴槽との循環回路により追い焚きが行われる（図６）。
【００１９】
また本発明の実施に際して燃料電池の運転中には浴槽の戻り湯の温度を検出し、その戻り湯の温度が所定温度となるまで、燃料電池浴槽貯湯のみで追い焚きし、所定温度となれば、追い焚きを終了するように弁を制御し、そして燃料電池の単独運転とする様に構成することが出来る（図７）。
【発明の効果】
【００２０】
本発明の作用効果は以下の通りである。
（１）  燃料電池の戻り温度が高くなっても、ラジエータを燃料電池の前後何れかのラインに介装することにより、燃料電池の運転が継続出来る。
（２）  給湯器、燃料電池、浴槽を直列に連通するようにすれば、給湯器側、又は燃料電池側の何れか一方に循環用ポンプを介装すればよく、イニシャルコストの削減につながる。
【発明を実施するための最良の形態】
【００２１】
以下、添付図面を参照して、本発明の実施形態を説明する。
【００２２】
先ず図１及び図４〜図７を参照して、第１実施形態を説明する。
【００２３】
図１において、熱交換器３０ｂ及び熱交換器３０ｂを含むラインに介装された循環用ポンプ３０ａを備えた給湯器３０は、隣接し熱交換器２及び循環用ポンプＰ１を有する燃料電池１から排熱を熱交換器３０ｂで受けるように構成されている。該給湯器３０は、給水ラインＬ２１によって給水源５に、また、給湯ラインＬ２２によって給湯部８に夫々接続されている。
【００２４】
前記熱交換器３０ｂ及び熱交換器３０ｂを含むラインは、浴槽１１からの戻り湯を流下させる戻りラインＬ１１と、戻り湯を熱交換器３０ｂによって昇温して浴槽１１に流下させる給湯ラインＬ１０とによって浴槽１１に接続されている。
【００２５】
前記戻りラインＬ１１には浴槽１１側から順に開閉弁Ｖ０５、Ｖ０１が介装され、給湯ラインＬ１０には給湯器３０側から順に開閉弁Ｖ０２、Ｖ０６が介装されている。
【００２６】
前記戻りラインＬ１１の開閉弁Ｖ０５と開閉弁Ｖ０１との間の領域には分岐点Ｂ１が形成され、その分岐点Ｂ１は燃料電池１側の熱交換器２と途中にラジエータ２１を介装した分岐管Ｌ２０で接続されている。また、給湯ラインＬ１０の開閉弁Ｖ０２と開閉弁Ｖ０６との間の領域には合流点Ｇ１が形成され、その合流点Ｇ１は燃料電池１側の熱交換器２と分岐管Ｌ８で接続されている。
【００２７】
前記戻りラインＬ１１における浴槽１１と開閉弁Ｖ０５との間の領域には、流過する戻り湯の湯温を検出するための温度センサＴ５が介装されている。
【００２８】
上述した開閉弁Ｖ０１〜Ｖ０６は、図示しない制御手段（自動制御装置：コントロールユニット）により開閉制御される。
次に図４〜図７を参照して、第１実施形態の制御（図１では図示しない制御手段による開閉弁Ｖ０１〜Ｖ０６の開閉制御を含む）について説明する。
【００２９】
図４を参照して、第１実施形態において、例えばリモコン指示または燃料電池内部制御指令の後、燃料電池を出力制御する方法を説明する。
【００３０】
燃料電池１に出力指令を出す（ステップＳ１０１）。制御装置１２は、図示しない浴槽貯湯可能スイッチや、水位センサ、浴槽の排水栓開閉センサの状態によって浴槽貯湯が可能か否かを判断し、可能であれば（ステップＳ１０２のＹＥＳ）、浴槽貯湯モード（ステップＳ１０３）とし、不可能なら（ステップＳ１０２のｎ０）、単独運転モード（ステップＳ１０４）とする。
【００３１】
浴槽貯湯モード（ステップＳ１０３以降）において、開閉弁Ｖ０１、Ｖ０２、Ｖ０５、Ｖ０６を開け、開閉弁Ｖ０３、Ｖ０４を閉めて（ステップＳ１０５）、浴槽水張りを開始する（ステップＳ１０６）。水張りには、給水源５を使用する（配管及び弁は、図１では図示せず）。制御装置１２は水張りが終了するまでチェックしており（ステップＳ１０７）、水張りが終了した時点で開閉弁Ｖ０３〜Ｖ０６を開け、開閉弁Ｖ０１、Ｖ０２を閉め（ステップＳ１０８）、燃料電池１を起動させる（ステップＳ１０９）。
【００３２】
制御装置１２は、戻り湯の温度ｔ５が所定温度を超えるまでチェックしており（ステップＳ１１０）、所定温度を越えた時点で開閉弁Ｖ０１からＶ０４を開け、開閉弁Ｖ０５、Ｖ０６を閉めて（ステップＳ１１１）、燃料電池の単独運転を継続させる（ステップＳ１１２）。そして時間が経過し制御装置１２は制御を終了するか否かを判断して（ステップＳ１１３）終了するのであれば終了し、終了しないのであれば再びステップＳ１１２以降を繰り返す。
【００３３】
単独運転モードとなった場合(ステップＳ１０４)は、開閉弁ＶＯ１〜ＶＯ４を開けて開閉弁ＶＯ５、ＶＯ６を閉じ（ステップＳ１１４）、燃料電池１を起動する（ステップＳ１１５）。そして、燃料電池単独運転を継続し（ステップＳ１１２）、ステップＳ１１３以降の制御を行う。
【００３４】
次に、図５を参照して、第１実施形態における湯張りの場合であって、例えばユーザによる割り込み指令を出す場合の制御方法について説明する。
【００３５】
リモコン指示によって「燃料電池による浴槽貯湯中は給湯器を使ってより早く、一方浴槽貯湯していない場合は給湯器による湯張りを行う」と言う指令を出す（ステップＳ７１）。制御手段１２は燃料電池１が運転中か否かを判断し（ステップＳ７２）、運転中であれば（ステップＳ７２のＹＥＳ）、ステップＳ７３に進み、運転していなければ（ステップＳ７２のＮＯ）、ステップＳ８６に進む。
【００３６】
そして制御手段１２は浴槽貯湯か或いは燃料電池の単独運転かを判断し（ステップＳ７３）、浴槽への貯湯であれば「燃料電池浴槽貯湯及び給湯器による風呂追い焚きモード」の指令を出す（ステップＳ７４）。一方単独運転であれば「燃料電池運転及び給湯器による湯張りモード」とする（ステップＳ８０）。
【００３７】
「燃料電池浴槽貯湯及び給湯器による風呂追い焚きモード」では、開閉弁Ｖ０１〜Ｖ０６まで全てを開き（ステップＳ７５）、風呂給湯器３０による風呂追い焚きが開始される（ステップＳ７６）。そして、制御装置１２は戻り湯の温度ｔ５が所定以上になるまでチェックしており（ステップＳ７７）、所定温度を超えたら開閉弁Ｖ０１〜Ｖ０４までを開き、開閉弁Ｖ０５、Ｖ０６を閉じる（ステップＳ７８）。そして、「追い焚き終了及び燃料電池単独運転継続モード」とする（ステップＳ７９）。
【００３８】
一方、ステップＳ７３において燃料電１は単独運転であると判断した場合は、ステップＳ８０において、「燃料電池運転」と「給湯器３０による湯張り」を指令する。すると図示しない給湯弁が開かれ、開閉弁Ｖ０１〜Ｖ０６まで全てを開く（ステップＳ８１）。
【００３９】
そして所定温度の給湯温度で湯張りが行われる（ステップＳ８２）。制御装置１２は例えば図示しない浴槽水位センサによって所定の風呂水位になるまでチェックしており（ステップＳ８３）、所定水位に達したなら、図示しない給湯弁を閉じ、風呂給湯器３０による風呂追い焚きを始める（ステップＳ８４）。その後戻り湯の温度ｔ５が所定温度に成るまで続け（ステップＳ８５）、その後ステップＳ７８以降を行う。
【００４０】
ステップＳ７２において、燃料電池が運転中で無い場合にステップＳ８６では「給湯器による湯張りモード」とする。そして、給湯弁を開き、開閉弁Ｖ０１、Ｖ０２、Ｖ０５、Ｖ０６を開けて、開閉弁Ｖ０３、Ｖ０４を閉じて（ステップＳ８７）、所定温度での湯張りを行う（ステップＳ８８）。制御手段１２は所定の風呂水位になるまでチェックしており（ステップＳ８９）、所定の水位になったなら、給湯弁を閉め、風呂給湯器３０による風呂の追い焚きを行う（ステップＳ９０）。
【００４１】
制御手段１２は戻り湯の温度ｔ５が所定の温度を超えるまでチェックしており（ステップＳ９１）、所定温度を超えたなら開閉弁Ｖ０５、Ｖ０６を閉じ（ステップＳ９２）、湯張り終了の指令を出す。
【００４２】
さらに図６を参照して、第１実施形態における風呂の追い焚き制御について説明する。
リモコン指示による「燃料電池による浴槽貯湯中（残り湯がある場合）は給湯器を使ってより早く、そして浴槽貯湯して無い場合は給湯器による追い焚き」指令を制御装置に与える（ステップＳ４１）。
【００４３】
制御装置１２は燃料電池１が運転中であるか否かを判断し、運転中であれば（ステップＳ４２のＹＥＳ）、ステップＳ４３に進み、運転中でなければ（ステップＳ４２のＮＯ）、ステップＳ４９に進む。
【００４４】
ステップＳ４３では「燃料電池による浴槽貯湯モードと給湯器による風呂追い焚きモード」にし、開閉弁Ｖ０１からＶ０６の全てを開き（ステップＳ４４）、風呂給湯器３０による風呂の追い焚きを始める（ステップＳ４５）。
【００４５】
制御装置１２は、温度センサＴ５によって戻り湯の湯温ｔ５を検知しており、その温度ｔ５が所定値を超えるまでチェックしており（ステップＳ４６）、ｔ５が所定値を超えた段階で、開閉弁Ｖ０１からＶ０４を開き、開閉弁Ｖ０５、Ｖ０６を閉じる（ステップＳ４７）。そして追い焚き終了指令及び燃料電池単独運転継続モードとする（ステップＳ４８）。
【００４６】
一方燃料電池１が運転中で無い場合（ステップＳ４２のＮＯ）は、給湯器による追い焚き指令モードとし（ステップＳ４９）、開閉弁Ｖ０１、Ｖ０２、Ｖ０５、Ｖ０６を開き、開閉弁Ｖ０３、Ｖ０４を閉じる（ステップＳ５０）。そして、風呂給湯器３０による風呂追い焚きを開始する（ステップＳ５１）。
【００４７】
制御装置１２は、温度センサＴ５によって戻り湯の湯温ｔ５を検知しており、その温度ｔ５が所定値を超えるまでチェックしており（ステップＳ５２）、ｔ５が所定値を超えた段階で、開閉弁Ｖ０５、Ｖ０６を閉じる（ステップＳ５３）。そして追い焚き終了指令を出す（ステップＳ４８）。
【００４８】
次に図７を参照して、第１実施形態における自動追い焚き制御について説明する。
【００４９】
先ず、制御装置１２は燃料電地１が運転中であるか否かを判断し（ステップＳ６１）、運転中であれば（ステップ６１のＹＥＳ）、燃料電池貯湯のみのモードとし（ステップＳ６２）、開閉弁Ｖ０１、Ｖ０２を閉じ、開閉弁Ｖ０３〜Ｖ０６を開く（ステップＳ６４）。
【００５０】
そして、戻り湯の温度ｔ５が所定範囲内になるまでチェックしており（ステップＳ６５）、所定範囲に収まれば開閉弁Ｖ０１からＶ０４を開き、開閉弁Ｖ０５、Ｖ０６を閉じ（ステップＳ６６）、追い焚き終了とし燃料電池単独運転モードとする（ステップＳ６７）。
【００５１】
一方、燃料電池１が運転中で無ければ（ステップＳ６１のＮＯ）、給湯器３０による追い焚きのモードとし（ステップＳ６３）、図６において説明したステップＳ４９以降のフローに移る（ステップ６３）
【００５２】
上述のような構成及び制御方法を有する第１実施形態によれば、燃料電池の戻り温度が高くなっても、ラジエータを燃料電池の前後何れかのラインに介装することにより、燃料電池の運転が継続出来る。
【００５３】
次に図２を参照して、本発明の第２実施形態を説明する。
図１の第１実施形態の構成は、給湯器と燃料電池を浴槽に対して並列に連通させた実施形態である。それに対して図２の第２実施形態は、給湯器、燃料電池及び浴槽を直列に接続した実施形態である。
【００５４】
燃料電池１の熱交換器２は風呂１１の給湯ライン（往きライン）Ｌ１０に接続され、風呂１１からの戻りラインＬ１１は給湯器３０の循環用ポンプ３０ａを介装した熱交換器３０ｂに接続されている。その熱交換器３０ｂからの給湯側のラインＬ２６はラジエータ２１を介して前記熱交換器２に接続されている。
【００５５】
前記ラインＬ２６と給湯ラインＬ１０との間には開閉弁２２を有するバイパスラインＬ２７が接続されている。
給水源５からのラインＬ２１は給水器３０に接続され、給湯器３０からのライン（別途ライン）Ｌ２２が給湯部８に接続されている。
【００５６】
図２の実施形態による制御（図２では図示しない制御手段による開閉弁Ｖ０１、Ｖ０２、２２の開閉制御を含む）は、次に述べるように行われる。
【００５７】
水張りでは、開閉弁Ｖ０１、Ｖ０２、２２と図示しない給水弁とを開ければ、ラインＬ２６、ラジエータ２１及び燃料電池１（の熱交換器２）か或いはバイパスラインＬ２７の何れか、ラインＬ１０を経由して、浴槽１１に給湯される。
【００５８】
浴槽１１に水を張ったら、弁２２を閉じて、開閉弁Ｖ０１、Ｖ０２を共に開け、残り湯を給湯器３０の熱交換器３０ｂ及び／又は燃料電池１の熱交換器２で追い焚きをして、給湯ラインを介して浴槽水を加熱する。
【００５９】
浴槽１１を使用しない場合は開閉弁Ｖ０１、Ｖ０２を閉め、バイパスラインＬ２７に介装した弁２２を開く。すると、ラジエータ２１、燃料電池１の熱交換器２、バイパスラインＬ２７で循環路が形成され、燃料電池１が単独で運転される。
【００６０】
次に図３を参照して、第３実施形態を説明する。
図３の第３実施形態は、図２の第２実施形態に対して、燃料電池と給湯器の循環向きが逆になっている。そして、ラジエータ２１の介装位置を浴槽１１側へ移設し、給湯器３０の熱交換器３０ｂと燃料電池１を接続するラインＬ２６に燃料電池１から給湯器３０への流れのみを許容する逆止弁２３を追加したことが異なる。
【００６１】
逆止弁２３の追加によって、給湯器３０から燃料電池１への逆流が完全に阻止される。その他の構成及び作用効果は実質的に図２の第２実施形態と同様である。
【００６２】
第２実施形態及び第３実施形態のように、給湯器、燃料電池、浴槽を直列に連通するようにすれば、給湯器側、又は燃料電池側の何れか一方に循環用ポンプを介装すればよく、イニシャルコストの削減につながる。
【００６３】
図示の実施形態はあくまでも例示であり、本発明の技術範囲を限定する趣旨の記述ではない旨を付記する。
【図面の簡単な説明】
【００６４】
【図１】本発明の第１実施形態の全体構成を示すブロック図。
【図２】本発明の第２実施形態の全体構成を示すブロック図。
【図３】本発明の第３実施形態の全体構成を示すブロック図。
【図４】第１実施形態における、燃料電池の出力制御を示すフローチャート。
【図５】第１実施形態における、湯張りでユーザによる割り込み指令を出す場合の制御を示すフローチャート。
【図６】第１実施形態における、風呂の追い焚き制御を示すフローチャート。
【図７】第１実施形態における、自動追い焚き制御を示すフローチャート。
【図８】従来技術のコージェネレーションシステムの一例を示すブロック図。
【符号の説明】
【００６５】
１・・・燃料電池
２、３０ｂ・・・熱交換器
５・・・給水源
８・・・給湯部
３０・・・給湯器
Ｂ１・・・分岐点
Ｇ１・・・合流点
Ｌ８、Ｌ１０、Ｌ１１、Ｌ２１、Ｌ２２・・ライン
Ｐ１、３０ａ・・・ポンプ
Ｔ５・・・温度センサ
Ｖ０１〜Ｖ０６・・・開閉弁
【図１】
2008101906.tif 000003
【図２】
2008101906.tif 000004
【図３】
2008101906.tif 000005
【図４】
2008101906.tif 000006
【図５】
2008101906.tif 000007
【図６】
2008101906.tif 000008
【図７】
2008101906.tif 000009
【図８】
2008101906.tif 000010